(57)【特許請求の範囲】
【請求項１】
便座装置本体と、便器内の空間で人体が排泄する便を受ける便受け手段と、前記便受け手段で受けた前記便を収容する収容手段と、前記収容手段を便座装置本体内に移動させる移動手段と、移動された収容手段内の前記便を検査サンプルとして便中の生体成分を検出するための便成分検知手段と、前記便成分検知手段に前記検査サンプルを滴下する滴下手段を有する便座装置。
【請求項２】
便座装置本体と、便器内の空間で人体が排泄する便を受ける便受け手段と、前記便受け手段で受けた前記便の一定量を検査サンプルとして収容する収容手段と、前記収容手段を便座装置本体内に移動させる移動手段と、移動された収容手段内の前記便を検査サンプルとして便中の生体成分を検出するための便成分検知手段と、前記便成分検知手段に前記検査サンプルを滴下する滴下手段を有する便座装置。
【請求項３】
便座装置本体に対して便受け手段および収容手段のいずれか一方または両方を着脱自在に設けたことを特徴とする請求項１または請求項２記載の便座装置。
【請求項４】
便器内の空間で人体が排泄する便を便受け手段が受けたことを確認するための第一の確認手段を備えた請求項１から請求項３のいずれか一項記載の便座装置。
【請求項５】
便受け手段で受けた便を収容手段が収容したことを確認するための第二の確認手段を備えた請求項１ないし請求項４のいずれか一項記載の便座装置。
【請求項６】
便座装置本体に排泄後の人体の局部を洗浄するための洗浄水噴出手段を備え、便受け手段は便器内の空間で前記洗浄水噴出手段による洗浄後の洗浄水を受けるように構成したことを特徴とする請求項１ないし請求項５のいずれか一項記載の便座装置。
【請求項７】
便座装置本体に排泄後の人体の局部を洗浄するための洗浄水噴出手段を備え、洗浄水噴出手段からの洗浄水噴出を便受け手段、および収容手段のいずれか一方または両方を洗浄するために用いたことを特徴とする請求項１ないし請求項５のいずれか一項記載の便座装置。
【請求項８】
便受け手段、および収容手段のいずれか一方または両方の洗浄された部分に、表面溝加工構造または取っ手構造を有し、前記便受け手段、および収容手段のいずれか一方または両方の着脱時に摘出する指のかかりを高めるようにしたことを特徴とする請求項７記載の便座装置。
【発明の詳細な説明】
【０００１】
【発明の属する技術分野】
本発明は便座装置で、特に尿便等の排泄時に、必要に応じて便中に含まれる成分を検出する装置に関するものである。
【０００２】
【従来の技術】
尿便等の排泄物中からは健康に関する様々な情報が得られる。これを利用した集団検診時の尿便チェックによる健康管理は、行政・事業所等で広く行われている。例えば増加する大腸がんに対する二次予防のため、平成４年度に大腸集検が、老人保健法に基づくヘルス事業のなかに組み入れられ、ラテックス凝集法・へモグロビン抗体を利用した免疫学的方法等による糞便中の潜血検査が大腸癌のスクリーニングに利用されている。また尿の尿糖、尿蛋白、ウロビリノーゲンなどの各種成分検査も腎臓障害、肝臓障害等の早期発見のため、同様に集団検診時に行われている。
【０００３】
また最近これらの検査を集団検診時の追跡検査などで、家庭においても行われるようになってきた。家庭における検査の頻度が増すとともに、日常的な健康管理にも排泄物の成分分析が利用されるようになっている。例えば、尿の食塩含有量を手軽にかつ簡単に測定でき、個人の食塩摂取量の推定やその管理に利用できるものが商品になっている。これは食塩摂取総量の一部分が尿や糞便から体外に排泄されることを利用し、一日の食塩摂取量を尿中の食塩排泄量から推定し、これにより高血圧症、循環器疾患、腎疾患等の予防、妊娠時の食事指導に役立てようとするものである。
【０００４】
これらの排泄物チェックはそのほとんどが尿便等を使用者が手で採取し、その採取サンプルの一部を検査紙薬に滴下し、試薬の色変化等により分析する手法で行われている。試薬の色変化を測定するシステムは、使用者の視覚判断から徐々に光学系読み取り機等による機械化が進んできている。しかし尿便等の採取は、相変わらず手で行われている。近年この採取部分も含めて家庭の便所で自動的に行おうとするものが考案されている。
【０００５】
例えば、特公平１−５４６６６号公報では、大便器のボール部内に突出して尿や大便中に含まれる成分を検出するバイオセンサと、表示手段を利用することにより、使用者の健康状態を表示するものが考案されている。これは図１４に示すとおり、便座１０１に排泄物成分検出センサー１０３を取り付けてあり、便器本体１０２上に装着した状態において、排泄物成分検出センサー１０３を成分検出時に便器本体１０２のボール内へ突出するように駆動装置１０６に連係せているものである。ここで成分検出時とは便器利用者が便器本体１０２を利用する時のことである。排泄物成分検出センサー１０３は当該センサー１０３を先端部に有するアーム１０４、アーム１０４基端に連結したロータリーソレノイド１０５、駆動装置１０６によって便座１０１の裏面に配設され、ロータリーソレノイド１０５を介して首降りするアーム１０４とともに便座１０１と便器本体１０２との間から落下する排泄物に接触するように出入り可能になっている。
【０００６】
また別の従来例として、特開平７ー１９８７１６号公報では、便座に組み込まれた尿サンプリング手段により採取した尿を尿分析手段まで搬送手段であるポンプにより搬送し、分析を行うものが考案されている。これは図１５に示すとおり、便座１１１に設けられた尿サンプリング手段１１２は、便器内に突出可能な略クランク形状のスイングアーム１１５と、このスイングアームの自由端に着脱可能に装着された採尿容器１１６と、スイングアーム１１５を駆動する駆動部１１７を備え、採尿容器１１６に集積した尿が可撓性チューブ１１８を介して、シリンジポンプ１１４の吸引と圧送作川により尿分析装置１１３に送られ、尿分析装置１１３内で送られてきた尿サンプル中の所定の成分を分析するものである。
【０００７】
これらの従来例では、便器内の空間に突出させたバイオセンサで直接大便や尿を分析することによって、または便器内の空間で尿サンプリング手段により尿を採取し、可撓性チューブを介して、シリンジポンプにより尿分析装置に送られ、定量分析することによって、使用者の手を煩わせることなく、尿や便を採取し、分析することができる。
【０００８】
【発明が解決しようとする課題】
しかしながら、特公平１−５４６６６号公報の方式では、バイオセンサに直接大便や尿を付着させ分析させるため、バイオセンサが必要とする大便や尿のサンプルが確実にバイオセンサに付着する保証がないことが挙げられる。排泄動態および排泄物の状態は使用者個人によってかなり異なるため、バイオセンサ上に大便や尿が落下してこない、または落下してきてもバイオセンサが必要とする大便や尿のサンプルが供給されないといった問題が考えられる。
【０００９】
また特開平７−１９８７１６号公報の方式では、可撓性チューブを介して、シリンジポンプにより尿分析装置に送られる構造のため、尿のような液体状の排泄物のサンプリングしかできず、大便の様な固形物には対応できないことが挙げられる。増加する大腸がんに対する二次予防のため、集団検診において糞便中の潜血検査が取り入れられてきたことを考えると、便の検査も行えた方が望ましい。
【００１０】
【課題を解決するための手段】
本発明は上記の課題を解決するために、便器内の空間で使用者が排泄する便を便座装置本体に設けた便受け手段が確実に受け、収容手段が前記便受け手段で受けた便を収容し、移動手段が前記収容手段を便座装置本体内に移動させ、移動された収容手段内の便を便中の生体成分を検出するための便成分検知手段に滴下手段が定量滴下し、滴下された便中の生体成分を便成分検知手段が検出するようにしたものである。また便座装置本体に対して便受け手段および収容手段のいずれか一方または両方を着脱自在に設けたものである。
【００１１】
上記発明によれば、便を便受け手段が受けて収容し、便座装置本体内に移動させ、便座装置内で分析するため、使用者の手を煩わせなくても便の採取ができ、確実に成分検知手段が便のサンプルを分析することができる。また受け手段と収容手段により尿便等の種類が異なる便に対応することができる。
【００１２】
【発明の実施の形態】
本発明は便座装置本体と、便器内の空間で人体が排泄する便を受ける便受け手段と、便受け手段で受けた便を収容する収容手段と、収容手段を便座装置本体内に移動させる移動手段と、移動された収容手段内の便を検査サンプルとして泄物中の生体成分を検出するための便成分検知手段と、便成分検知手段に検査サンプルを滴下する滴下手段を有するものである。
【００１３】
そして便受け手段が便を受け、収容手段が便受け手段で受けた便を収容し、移動手段が収容手段を便座装置本体内に移動させ、移動された収容手段内の便を便中の生体成分を検出するための便成分検知手段に滴下手段が滴下し、滴下された便中の生体成分を便成分検知手段が検出することにより、便の採取および検査を確実に行うことができる。
【００１４】
また便座装置本体と、便器内の空間で人体が排泄する便を受ける便受け手段と、便受け手段で受けた便の一定量を検査サンプルとして収容する収容手段と、収容手段を便座装置本体内に移動させる移動手段と、移動された収容手段内の便を検査サンプルとして泄物中の生体成分を検出するための便成分検知手段と、便成分検知手段に検査サンプルを滴下する滴下手段を有するものである。
【００１５】
そして便受け手段が便を受け、収容手段が便受け手段で受けた便の一定量を収容し、移動手段が収容手段を便座装置本体内に移動させ、移動された収容手段内の便を便中の生体成分を検出するための便成分検知手段に滴下手段が滴下し、滴下された便中の生体成分を便成分検知手段が検出することにより、便の採取および検査を確実に行うことができる。
【００１６】
さらに便座装置本体に対して便受け手段および収容手段のいずれか一方または両方を着脱自在に設けたものである。
【００１７】
そして便受け手段および収容手段のいずれか一方または両方を着脱することにより、使用するたびに新しい便受け手段または収容手段を使用することができる。
【００１８】
さらに便器内の空間で人体が排泄する便を便受け手段が受けたことを確認するための確認手段を備えたものである。
【００１９】
そして便受け手段が便を受けずにその後の動作を行うエラーを防止することができる。
【００２０】
さらに便受け手段で受けた便を収容手段が収容したことを確認するための確認手段を備えたものである。
【００２１】
そして便受け手段が便を受けずにその後の動作を行うエラーを防止することができる。
【００２２】
さらに便座装置本体に排泄後の人体を洗浄するための洗浄水噴出手段を備え、便受け手段は便器内の空間で洗浄水噴出手段による洗浄後の洗浄水を受けるように構成したものである。
【００２３】
そして便受け手段が便器内の空間で洗浄水噴出手段による洗浄後の洗浄水を受け、収容手段が洗浄後の洗浄水を収容し、便座装置本体内に移動させ、便成分検知手段に滴下し、滴下された洗浄後の洗浄水中の生体成分を便成分検知手段が検出することにより、便だけでなく洗浄後の洗浄水の検査を行うことができる。
【００２４】
また便座装置本体に排泄後の人体を洗浄するための洗浄水噴出手段を備え、洗浄水噴出手段からの洗浄水噴出を便受け手段、および収容手段のいずれか一方または両方を洗浄するために用いたものである。
【００２５】
そして洗浄水噴出手段からの洗浄水噴出で、便受け手段、および収容手段のいずれか一方または両方を洗浄することにより便受け手段、および収容手段のいずれか一方または両方を使用後清浄にすることができる。
【００２６】
また便受け手段、および収容手段のいずれか一方または両方の洗浄された部分に便受け手段、および収容手段のいずれか一方または両方を取り外ししやすくする構造を設けたものである。
【００２７】
そして洗浄された部分をつかむやすくすることにより、便受け手段、および収容手段のいずれか一方または両方の交換が容易にできる。
【００２８】
以下、本発明の実施例について図面を用いて説明する。
【００２９】
（実施例１）
本発明の実施例１について、図１、図２、図３および図４を参照しながら説明する。図１は実施例１の構成図、図２は実施例１の便受け手段等の部分詳細図、図３は収容部まわりの動作説明図、図４は実施例１の滴下手段等の部分詳細図である。
【００３０】
図１において、１は便座装置本体、２は使用者が座る便座、３は便器内の空間で人体が排泄する便を受ける便受け手段、４は便受け手段で受けた便を円筒形の収容カプセルに収容する収容手段、５は収容手段４を便座装置本体１内に移動させる移動手段、６は移動された収容手段４内の便を便中の生体成分を検出するための便成分検知手段７に定量滴下する滴下手段、７は滴下された便中の生体成分を検出する便成分検知手段である。便座２は便座装置本体１に回動可能に取り付けられている。移動手段５、滴下手段６および便成分検知手段７は便座装置本体１に内蔵されている。
【００３１】
図２において、３は便受け手段を詳細に記載したもので受け皿様のアタッチメントの形をしている、４は収容手段でありその構成としての円筒形の収容カプセルを記載してある。８は便受け手段３から便を収容手段４に収容するための採取棒、９は採取棒に設けられた採取溝で、収容手段はこれら収容カプセル４および採取棒８で構成する。１６は採取棒９をスライドさせるためのピニオンギヤで、採取棒９に設けられたラックギヤと嵌合している。１０は便座本体に取り付けられ便器内の空間まで突出された支持アーム、１３は便受け手段３を支持アーム１０に着脱自在に取り付けるための取り付けピンである。便受け手段３は支持アーム１０に設けられた取り付けピンに嵌合することによって、着脱自在に取り付けることができる。１１は収容手段４を移動手段５が移動させるための接続ベルトである。移動手段５はワイヤー入り軟質塩ビ等の可撓性素材で作った接続ベルト１１を巻き取りまたは送り出しを行うモータ１７および接続ベルト１１で構成する。接続ベルト１１は移動手段５と反対の端がピン接合部１２を介して収容手段４につながっている。この接続ベルト１１の巻き取りまたは送り出しにより収容手段４が支持アーム１０の中をスライドする。
【００３２】
図４において、４は収容手段でありその構成としての円筒形の収容カプセルを記載してある。６は移動された収容手段４内の便を便中の生体成分を検出するための便成分検知手段７に滴下する滴下手段であり、プランジャー６およびプランジャー６を駆動させるソレノイドコイルユニット１４で構成する。７は滴下された便中の生体成分を検出する便成分検知手段であり、検査サンプルが滴下されるサンプルウェル１５、このサンプルウェル１５に接触して設けた検査紙１８で構成する。
【００３３】
次に動作、作用について説明する。使用者が便検査の目的で、便受け手段３を支持アーム１０に取り付けた後、便座２に着座する。便受け手段３に目掛けて排泄を行い、排泄された便の一部が便受け手段３に入る。この後収容手段４への収容、便座装置本体１への移動が行われるが、図３（ａ）〜図３（ｅ）にてこの移動の動作を説明する。図３（ａ）において便が便受け手段３の上に排泄され、便受け手段３が便の一部を受ける。次に図３（ｂ）において受けた便の一部を採取棒８が採取溝９ですくう形で採取する。採取棒８は回転しながら便座装置本体方向に巻き取られる。ちょうど１８０度回転したところで図３（ｃ）に示すように、採取溝９は収容手段４内に下向きに収まり、採取溝９に溜まった便は収容手段４内に落下する。次に図３（ｄ）に示すように再度採取棒８は図３（ａ）〜図３（ｃ）の動作を繰り返し、設定した量の便を収容手段４内に収容する。次に図３（ｅ）に示すように移動手段５が接続ベルト１１の巻き取りを始め、これにより収容手段４が支持アーム１０の中をスライドし、便座装置本体１内に移動する。
【００３４】
便座装置本体１内部に移動した収容手段４は、その上面の一部または全体がポリエチレン等の軟質の素材で作ってあり、また下面の一部がゴム等の弾性体で構成され、その弾性体に孔が設けられている。この孔は普段は弾性体の密着により閉じられているが、収容手段４の内圧が高まると収容された便検査サンプルがこの孔を通って、孔下に設けられた便成分検知手段７のサンプルウェル１５に滴下される。滴下手段６であるプランジャーはソレノイドコイルユニット１４により押し下げられ、この軟質部分を押すことによって、収容手段４の内圧を高めて便検査サンプルの滴下を行う。ソレノイドコイルユニット１４は設定した位置までプランジャーを押し下げるようにしてあり、このプランジャーの定位置までの押し下げにより、収容手段４の内容積の減少量が一定し、これによりサンプルウェル１５への滴下は定量滴下として行われる。そして滴下された検査サンプルは、ユニット内に設けられサンプルウエル１５に対して開放された検査紙に接触し、吸収されながらペーパークロマトで成分分析が行われる。分析結果は検査紙の色変化等により表示する。
【００３５】
なお便受け手段３から収容手段４への収容は、便の一部を採取棒８の採取溝９ですくい、採取棒８の回転、摺動により採取溝９に溜まった便を収容手段４内に落下させる方法で説明したが、スポイトの原理で収容手段４への加圧、除圧により収容手段４内へ直接収容しても良い。この場合、収容手段４が便座装置本体１内へ移動した後の便成分検知手段７への定量滴下は、この逆のプロセスによって行うことができる。
【００３６】
また便受け手段３は支持アーム１０に設けられた取り付けピンに嵌合することによって、着脱自在に取り付けることができる構造としたが、収容手段４も同様に接続ベルト１１の移動手段５と反対側の端をピン接合部１２に嵌合して着脱自在にすることもできる。この場合、使用者は収容手段４および便受け手段３の両方を排泄前に取り付けることになるが、収容手段４も使用するたびに新しいものを使用できるメリットがある。さらに収容手段４と便受け手段３を一体的に形成すれば、一度の着脱行為で両方とも着脱できる。また収容手段４への便の収容に用いた採取棒８もその先端部から適当な長さを同様に着脱自在に構成することもできる。この場合便受け手段３、収容手段４に加えて、採取棒８も使用するたびに新しいものを使用でき、便の採取に関連する構成部品の大部分をディスポーザルにできるメリットがある。
【００３７】
また便成分検知手段７は、ペーパークロマト法を用いた検査紙などを利用した成分分析法としたが、他に色調、混濁、比重等の物理的分析、反応試験片の呈色で判定する分析法、などが考えられる。
【００３８】
（実施例２）
本発明の実施例２について、図５、図６、図７および図８を参照しながら説明する。図５は実施例２の便受け手段等の部分詳細図（側面図）、図６は第一の確認手段等の部分詳細図（平面図）、図７は第二の確認手段等の部分詳細図（側面図）、図７は収容部まわりの動作説明図である。
【００３９】
図５において、３は便受け手段であり受け皿様のアタッチメントの形態をしている。４は収容手段であり、ポリエチレン等の軟質の素材でスポイト状に形成してあり、支持アーム２８の先端部に取り付けてある。２０は収容手段４のスポイト機構を駆動するための接続ベルトでピン接続部２０を介して収容手段４につながっている。接続ベルト２０には便座装置本体１内においてラックギヤを設けてあり、これと嵌合したピニオンギヤ３０と合わせてラック＆ピニオン機構を構成している。このラック＆ピニオン機構によって収容手段４のスポイト機構が伸び縮みを行う。支持アーム２８はパイプ状に形成し、便座装置本体１内においてラックギヤを設けてあり、これと嵌合したピニオンギヤ２９と合わせてラック＆ピニオン機構を構成している。このラック＆ピニオン機構によって便座装置本体１からの突き出し、引き込みを行う。１３は便受け手段３を支持アーム２８に着脱自在に取り付けるための取り付けピンである。便受け手段３は支持アーム２８に設けられた取り付けピン１３に嵌合することによって、着脱自在に取り付けることができる。２２は支持アーム２８とは独立的に便座装置本体１から突き出された自動着脱用棒で、便受け手段３を支持アーム２８に設けられた取り付けピンの嵌合から外す際に使用する。
【００４０】
図６において、２３は便受け手段３に便が入ったことを確認するための発光部と受光部で構成されたフォトカップラーである。受発光部の間で便により光の透過率が変わり、受光部の受光レベルが異なることで、便の有無を確認する。２４は受発光部の間にある便受け手段３に設けた光透過用の透明窓である。第一の確認手段はこれらフォトカップラー２３、光透過用の透明窓２４で構成する。
【００４１】
図７において、２５は収容カプセル４に便が入ったことを確認するための発光部と受光部で構成されたフォトカップラーである。受発光部の間で便により光の透過率が変わり、受光部の受光レベルが異なることで、便の有無を確認する。２６は受発光部の間にある収容カプセル４に設けた光透過用の透明窓である。第二の確認手段はこれらフォトカップラー２５、光透過用の透明窓２６で構成する。
【００４２】
次に動作、作用について説明する。使用者が便検査の目的で、便受け手段３を支持アーム２８に取り付けた後、便座２に着座する。便受け手段３に目掛けて排泄を行い、排泄された便の一部が便受け手段３に入る。この後便受け手段３から収容手段４への便の収容が行われるが、図８（ａ）〜図８（ｄ）にてこの収容の動作を説明する。図８（ａ）において便が便受け手段３の上に排泄され、便受け手段３が便の一部を受ける。このとき便が便受け手段３に入っていない場合、便受け手段３に設けられた便が入ったことを確認するための第一の確認手段により、受発光部の間で便がないため光の透過率が変わらず、受光部の受光レベルが変わらないことで、便が無いことが確認できるので、次の動作を実行しないようにする。
【００４３】
次に図８（ｂ）において接続ベルト２０が便座装置本体１内の駆動モータ２９による巻き取りによって、収容手段４のスポイト機構が伸びる。接続ベルト２０が設定された駆動モータ２９の巻き取り量まで巻き取られると、収容手段４のスポイト機構の伸びが設定された位置で止まり、これにより収容手段４内へ便受け手段３から設定された量の便の収容が行うことができる。このとき便が収容手段４に入っていない場合、収容手段４に設けられた便が入ったことを確認するための第二の確認手段により、受発光部の間で便がないため光の透過率が変わらず、受光部の受光レベルが変わらないことで、便が無いことが確認できるので、次の動作を実行しないようにする。
【００４４】
次に図８（ｃ）〜（ｄ）に示すように便座装置本体１内の駆動モータによる支持アーム２８の巻き取りによる、便座装置本体１への引き込みが開始する。支持アーム２８とは独立的に便座装置本体１から突き出された自動着脱用棒２２に、支持アーム２８に取り付けられた便受け手段３に設けた脱着用のリブが当たるまで、支持アーム２８が引き込まれると、便受け手段３に設けた脱着用のリブが、自動着脱用棒２２により押されて、これにより支持アーム２８から便受け手段３に自動的に外れる。さらに便座装置本体１内の駆動モータによる支持アーム２８の巻き取りによる、便座装置本体１への引き込みが続き、収容手段４が支持アーム２８とともに、便座装置本体１内に移動する。
【００４５】
便座装置本体１内部に移動した収容手段４は、便座装置本体１内にて図８（ａ）〜図８（ｄ）に示したプロセスの逆のプロセスで、収容手段４に定量収容された便の検査用サンプルが全て、便成分検知手段７のサンプルウェル１５に滴下される。この便成分検知手段７の滴下から成分分析までは、実施例１に示したものと同様であり、ここでは説明を省略する。
【００４６】
なお便受け手段３から収容手段４への収容は、収容手段４のスポイト機構による定量収容の方法で説明したが、収容手段４に便が収容されたことを確認するための第二の確認手段２５による定量収容の確認を行ってもよい。これは発光部と受光部で構成されたフォトカップラーの取り付け高さを設定することで、その高さまで便が収容されるとスポイト機構の駆動が停止する方法によるもので、この場合収容の有無だけでなく収容量の確認もできる。
【００４７】
また便受け手段３は支持アーム１０に設けられた取り付けピンに嵌合することによって、着脱自在に取り付けることができる構造として、さらに自動着脱用棒２２により押されて支持アーム２８から便受け手段３が自動的に外れる構造としたが、収容手段４も同様に接続ベルト１１の移動手段５と反対側の端をピン接合部１２に嵌合して着脱自在にすることもできる。この場合、使用者は収容手段４および便受け手段３の両方を排泄前に取り付けることになるが、収容手段４も使用するたびに新しいものを使用できるメリットがある。さらに収容手段４と便受け手段３を一体的に形成すれば、一度の着脱行為で両方とも着脱できる。また収容手段４への便の収容に用いた採取棒８もその先端部から適当な長さを同様に着脱自在に構成することもできる。この場合便受け手段３、収容手段４に加えて、採取棒８も使用するたびに新しいものを使用でき、便の採取に関連する構成部品の大部分をディスポーザルにできるメリットがある。
【００４８】
（実施例３）
本発明の実施例３について、図９、図１０、図１１、図１２および図１３を参照しながら説明する。図９は実施例３の構成図、図１０は実施例３の便受け手段等の部分詳細図、図１１は使用時の人体との位置関係図、図１２は洗浄水噴出手段および便受け手段の動作説明図、図１３は便受け手段を取り外しやすくする構造の説明図である。
【００４９】
実施例１と異なる点は図９、図１０に示すとおり、人体局部に洗浄水を噴出するための洗浄水噴出手段４０を設けたことにある。洗浄水噴出手段４０は例えば、電気ヒーターで加熱された温水を水ポンプで加圧し、ノズルから噴出させるものである。図１３において便受け手段３には洗浄水噴出手段４０からの洗浄水噴出で洗浄された部分に、便受け手段３を取り外しやすくする構造である、表面溝加工が施されている。
【００５０】
なお実施例１と同一符号のものは同一構造を有し、説明は省略する。
【００５１】
次に動作、作用について説明する。使用者が便検査の目的で、便受け手段３を支持アーム１０に取り付けた後、便座２に着座する。排泄を行った後、図１１に示すとおり、洗浄水噴出手段４０から上方に噴出された洗浄水で、使用者の局部を洗浄した後、人体局部下に配置された便受け手段３に洗浄後の洗浄水が落ちてくる。落ちてきた洗浄水の一部が便受け手段３に入る。この後収容手段４への収容、便座装置本体１への移動が行われるが、これは実施例１で説明した通りである。その後の定量滴下、成分分析も同様に実施例１で説明した通りである。
【００５２】
図１２（ａ）〜図１２（ｄ）にて、洗浄水噴出手段４０からの洗浄水噴出で便受け手段３を洗浄する場合の動作を説明する。図１２（ａ）において便受け手段３に洗浄後の洗浄水が落ちてきて、落ちてきた洗浄水の一部が便受け手段３に入る。次に収容手段４への収容等が行われるが、これは実施例１で説明した通りであるので省略する。次に洗浄水噴出手段４０が回転しながら突出され、ちょうど便受け手段３の真上にきたところで停止する。この時洗浄水噴出手段４０は１８０度回転し、洗浄水の噴出方向が下方の便受け手段３に向く。
【００５３】
次に図１２（ｃ）に示すとおり、洗浄水噴出手段４０から洗浄水が噴出され、便受け手段３に残っている洗浄後の洗浄水を洗い流す。完全に洗い流される時間をあらかじめ設定しておき、その時間になると図１２（ｄ）に示すとおり洗浄水噴出手段４０からの洗浄水噴出は停止する。
【００５４】
使用者は洗浄水噴出手段４０からの洗浄水噴出で洗浄された便受け手段３を支持アーム２８から取り外し、廃棄する必要があるが、便受け手段３は洗浄水で濡れており、滑りやすく取り外しがし難くなっている。そこで図１３に示すとおり、表面溝加工により取り外しやすくした部分をつまむことにより、容易に便受け手段３を支持アーム２８から取り外すことができる。
【００５５】
なお洗浄水噴出手段４０は突出され、便受け手段３の真上に噴出ノズルを配置し洗浄することとしたが、洗浄水噴出手段４０の噴出ノズルを平面内で移動させ、支持アーム２８等を洗浄することもできる。また洗浄水噴出手段４０を回転して、便受け手段３に噴出ノズルが向くようにしたが、噴出方向を変えずに別に設けた噴出遮断カバーで洗浄水噴出手段４０および便受け手段３を覆い、この噴出遮断カバー内で噴出を行うことにより、便受け手段３を洗浄することもできる。また洗浄水噴出手段４０の、電気ヒーターで加熱された温水を水ポンプで加圧しノズルから噴出させる手前で分岐させ、便の成分検知が終了した後、支持アーム２８および収容手段４内にこの温水を導入する水回路を設けておけば、収容手段４の洗浄も可能になる。
【００５６】
また便受け手段３への洗浄水噴出洗浄は完全に洗い流される時間をあらかじめ設定しておく方法としたが、実施例２で説明した便受け手段３に設けられた便が入ったことを確認するための第一の確認手段により、受発光部の間で光の透過率が洗浄時は、始め透過率が低く、洗浄が進につれ、高くなってくる。これにより受光部の受光レベルがある設定値になったとき、便受け手段３への洗浄水噴出洗浄を停止する方法でも良い。
【００５７】
また使用者による洗浄水噴出手段４０からの便受け手段３を取り外しやすくする構造は、表面溝加工による例を示したが、洗浄で最もきれいになる部分につまみ等の取っ手を設けることでも良い。また収容手段４を実施例１のなお書きで示すとおり、着脱可能にした場合、収容手段４にも同様の表面加工または取っ手を設けることも考えられる。
【００５８】
【発明の効果】
以上のように本発明によれば、便受け手段が便を受け、収容手段が便受け手段で受けた便を収容し、移動手段が収容手段を便座装置本体内に移動させ、移動された収容手段内の便を便中の生体成分を検出するための便成分検知手段に滴下手段が滴下し、滴下された便中の生体成分を便成分検知手段が検出することにより、便座装置により自動的に便の採取および検査を確実に行うことができるので、使用者の手が便で汚れることがないという有利な効果を有する。
【００５９】
また収容手段が便受け手段で受けた便の一定量を収容し、これを便座装置本体内で全量滴下することにより、便座装置本体内の滴下量をコントロールする機構が不要になり、上記効果に加えて便座装置本体の機構部ボリュームがその分少なくてすむという効果を有する。
【００６０】
また便受け手段および収容手段のいずれか一方または両方を着脱することにより、使用するたびに新しい便受け手段または収容手段を使用することができるという効果を有する。
【００６１】
また便受け手段が便を受けたことを確認するための確認手段を備えているので、便受け手段が便を受けずにその後の動作を行うというエラーを防止することができるとの効果を有する。
【００６２】
また収容手段が便を受けたことを確認するための確認手段を備えているので、収容手段が便を収容せずにその後の動作を行うというエラーを防止することができるとの効果を有する。
【００６３】
また便受け手段が便器内の空間で洗浄水噴出手段による洗浄後の洗浄水を受け、収容手段が洗浄後の洗浄水を収容し、便座装置本体内に移動させ、便成分検知手段に滴下し、滴下された洗浄後の洗浄水中の生体成分を便成分検知手段が検出することにより、便だけでなく洗浄後の洗浄水の検査を行うことができるという効果を有する。
【００６４】
また洗浄水噴出手段からの洗浄水噴出で、便受け手段、および収容手段のいずれか一方または両方を洗浄することにより便受け手段、および収容手段のいずれか一方または両方を使用後清浄にすることができるという効果を有する。
【００６５】
また便受け手段、および収容手段のいずれか一方または両方の洗浄された部分に便受け手段、および収容手段のいずれか一方または両方を取り外ししやすくする構造を設けてあり、洗浄された部分をつかむやすくすることにより、便受け手段、および収容手段のいずれか一方または両方の交換が容易にできるという効果を有する。
【図面の簡単な説明】
【図１】  本発明の実施例１の便座装置の構成図
【図２】  同実施例の便受け手段等の部分詳細図
【図３】  （ａ）同実施例の収容部まわりの動作説明図
（ｂ）同実施例の収容部まわりの動作説明図
（ｃ）同実施例の収容部まわりの動作説明図
（ｄ）同実施例の収容部まわりの動作説明図
（ｅ）同実施例の収容部まわりの動作説明図
【図４】  同実施例の滴下手段等の部分詳細図
【図５】  実施例２の便受け手段等の部分側面図
【図６】  同実施例の第一の確認手段等の部分平面図
【図７】  同実施例の第二の確認手段等の部分側面図
【図８】  （ａ）同実施例の収容部まわりの動作説明図
（ｂ）同実施例の収容部まわりの動作説明図
（ｃ）同実施例の収容部まわりの動作説明図
（ｄ）同実施例の収容部まわりの動作説明図
【図９】  実施例３の構成図
【図１０】  同実施例の便受け手段等の部分詳細図
【図１１】  同実施例の使用時の人体との位置関係図
【図１２】  （ａ）同実施例の洗浄水噴出手段および便受け手段の動作説明図
（ｂ）同実施例の洗浄水噴出手段および便受け手段の動作説明図
（ｃ）同実施例の洗浄水噴出手段および便受け手段の動作説明図
（ｄ）同実施例の洗浄水噴出手段および便受け手段の動作説明図
【図１３】  同実施例の便受け手段を取り外しやすくする構造の説明図
【図１４】  従来例の便座装置の説明図
【図１５】  従来例の便座装置の説明図
【符号の説明】
１  便座装置本体
３  便受け手段
４  収容手段
５  移動手段
６  滴下手段
７  便成分検知手段
２３  第一の確認手段
２５  第二の確認手段
【図１】
0003677875.tif 000002
【図２】
0003677875.tif 000003
【図３】
0003677875.tif 000004
【図４】
0003677875.tif 000005
【図５】
0003677875.tif 000006
【図６】
0003677875.tif 000007
【図７】
0003677875.tif 000008
【図８】
0003677875.tif 000009
【図９】
0003677875.tif 000010
【図１０】
0003677875.tif 000011
【図１１】
0003677875.tif 000012
【図１２】
0003677875.tif 000013
【図１３】
0003677875.tif 000014
【図１４】
0003677875.tif 000015
【図１５】
0003677875.tif 000016